(57)【特許請求の範囲】
【請求項１】
記録テープが巻き回されたリールと、
外壁の内側で所定の円周に沿って設けられた内壁の内側に、前記リールを回転可能に収容するケースと、
前記ケースにおける前記内壁に設けられたアンテナと、基部に回路及び端子が設けられて構成され前記基部において前記内壁の内面側又は外面側に固定されると共に前記アンテナに導通された回路部とを有して構成され、前記ケース外部との通信可能なＲＦＩＤタグと、
前記ケースに設けられ、前記端子が前記アンテナに接触するように前記基部を位置決めする位置決め部と、
を備えた記録テープカートリッジ。
【請求項２】
前記アンテナは、前記内壁に形成された金属箔にて構成されている請求項１記載の記録テープカートリッジ。
【請求項３】
前記アンテナを構成する金属箔は、エッチング、蒸着、又は転写成形により形成されている請求項２記載の記録テープカートリッジ。
【発明の詳細な説明】
【技術分野】
【０００１】
本発明は、磁気テープ等の記録テープが巻き回されたリールをケース内に回転可能に収容した記録テープカートリッジに関する。
【背景技術】
【０００２】
ＩＣメモリとアンテナとを有するカセットタグをビデオカセットの背面に形成された凹部に外部から挿入する技術が知られている（例えば、特許文献１参照）。また、ＩＣ部とアンテナ部とを有するカートリッジメモリを、カートリッジ背面の内側に配置した技術が知られている（例えば、特許文献２参照）。
【特許文献１】特開平１０−１７２２６３号公報
【特許文献２】特開２００２−８３４８２号公報
【発明の開示】
【発明が解決しようとする課題】
【０００３】
しかしながら、上記の如き従来の技術では、通信距離を延長するためにアンテナを長くすることについて改善の余地がある。
【０００４】
本発明は、上記事実を考慮して、ＲＦＩＤタグを構成するアンテナの長さを確保することができる記録テープカートリッジを得ることが目的である。
【課題を解決するための手段】
【０００５】
上記目的を達成するために請求項１記載の発明に係る記録テープカートリッジは、記録テープが巻き回されたリールと、外壁の内側で所定の円周に沿って設けられた内壁の内側に、前記リールを回転可能に収容するケースと、前記ケースにおける前記内壁に設けられたアンテナと、基部に回路及び端子が設けられて構成され前記基部において前記内壁の内面側又は外面側に固定されると共に前記アンテナに導通された回路部とを有して構成され、前記ケース外部との通信可能なＲＦＩＤタグと、前記ケースに設けられ、前記端子が前記アンテナに接触するように前記基部を位置決めする位置決め部と、を備えている。
【０００６】
請求項１記載の記録テープカートリッジでは、ケースの内壁（内面、外面、端面等）に設けられたアンテナを介して回路部と外部との通信が行われる。ケース内における連続面の面積を大きくとることができる部分である内壁よりも内側部分又は内壁自体にアンテナが設けられるので、ケース内にＲＦＩＤ（Ｒａｄｉｏ Ｆｒｅｑｕｅｎｃｙ Ｉｄｅｎｔｉｆｉｃａｔｉｏｎの略）用のＲＦＩＤタグ（単にＲＦＩＤという場合もあり、ＲＦタグと言う場合もある）を設けた構成において、他との干渉が防止されるように設けることができる。
【０００７】
このように、請求項１記載の記録テープカートリッジでは、ＲＦＩＤタグを構成するアンテナの長さを確保することができる。特に、ケースの内壁（所定の円周）に沿ってアンテナを設ける構成では、直線状の壁部に沿って形成されるものと比較して長いアンテナを、外壁の外側からの通信性が良好な位置に形成することができる。そして、アンテナ長を長くすることで、例えば通信方式として電波通信方式を採る場合、より低周波の通信周波数（例えばＵＨＦ帯域）を用いることが可能になり、また例えば通信方式として磁界誘導方式を採る場合、より受信感度を向上させることが可能になる。
【０００９】
また、本記録テープカートリッジでは、ケースの内壁に設けられた位置決め部に回路部の基部を位置決めすることで、該回路部の端子がアンテナに接触される。これにより、回路部の回路がアンテナと導通された状態になるように、回路部をケースに対し容易に組み付けることができる。
【００１１】
さらに、本記録テープカートリッジでは、ＲＦＩＤを構成する回路部が内壁に設けられているので、ケース内のＲＦＩＤを全体としてコンパクトに構成することができる。
【００１２】
請求項２記載の発明に係る記録テープカートリッジは、請求項１記載の記録テープカートリッジにおいて、前記アンテナは、前記内壁に形成された金属箔にて構成されている。
【００１３】
請求項２記載の記録テープカートリッジでは、内壁に直接的に形成された金属箔にてアンテナが構成されているので、より長いアンテナを他との干渉が防止されるように設けることが可能になる。
【００１４】
請求項３記載の発明に係る記録テープカートリッジは、請求項２記載の記録テープカートリッジにおいて、前記アンテナを構成する金属箔は、エッチング、蒸着、又は転写成形により形成されている。
【００１５】
請求項３記載の記録テープカートリッジでは、エッチング、蒸着、又は転写成形によって、ケースの内壁に容易にアンテナを形成することができる。
【発明の効果】
【００１６】
以上説明したように本発明に係る記録テープカートリッジは、ＲＦＩＤタグを構成するアンテナの長さを確保することができるという優れた効果を有する。
【発明を実施するための最良の形態】
【００１７】
本発明の一実施の形態に係る記録テープカートリッジ１０について、図１〜図７に基づいて説明する。まず、記録テープカートリッジ１０の概略の全体構成、開口及びドアの構成を説明し、次いで、本発明の要部である内蔵ＲＦＩＤタグとしてのＩＣタグ６０について説明する。なお、説明の便宜上、矢印Ａで示す記録テープカートリッジ１０のドライブ装置への装填方向を記録テープカートリッジ１０の前方向（前側）とし、それぞれ矢印Ａと直交する矢印Ｂ方向を右方向、矢印Ｃ方向を上方向とする。
【００１８】
（記録テープカートリッジの全体構成）
図３には記録テープカートリッジ１０の全体構成が斜視図にて示されており、図４には記録テープカートリッジ１０の概略の分解斜視図が示されている。
【００１９】
これらの図に示される如く、記録テープカートリッジ１０は、平面視で略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００２０】
そして、上ケース１６及び下ケース１８の周壁１６Ａ、１８Ａが切り取られた角部が磁気テープＴの引き出し用の開口２０とされている。開口２０及び該開口２０を開閉するドア５０の詳細構成については後述する。この実施形態では、周壁１６Ａ、１８Ａが本発明における外壁に相当する。
【００２１】
この開口２０から引き出される磁気テープＴの自由端には、ドライブ装置の引出手段によって係止（係合）されつつ引き出し操作されるリーダピン２２が接続されている。リーダピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２２】
ケース１２の開口２０の内側には、ケース１２内においてリーダピン２２を位置決め、保持する上下一対のピン台２４が設けられている。ピン台２４は、矢印Ｂ方向に開口する半円筒形状をしており、その凹部２４Ａに直立した状態のリーダピン２２の両端部が保持されるようになっている。このピン台２４は、後述するリブ４４と連設されている。
【００２３】
また、ピン台２４の近傍には板ばね２５が固定配置されており、この板ばね２５がリーダピン２２の上下端部に係合してリーダピン２２をピン台２４に保持するようになっている。リーダピン２２がピン台２４に出入りする際には、板ばね２５はアーム部２５Ａを適宜弾性変形させてリーダピン２２の移動を許容する構成である。
【００２４】
さらに、下ケース１８の中央部には、リール１４のリールギヤ（図示省略）を外部に露出するためのギヤ開口２６が設けられており、リール１４はリールギヤがドライブ装置の駆動ギヤに噛み合わされてケース１２内で回転駆動されるようになっている。また、リール１４は、上ケース１６及び下ケース１８の内面からそれぞれ部分的に突設されてギヤ開口２６と同軸的な円形の軌跡（仮想円周）上にある内壁としての遊動規制壁（リールエリアリブ）２８によってガタ付かないように保持されている。また、下ケース１８におけるギヤ開口２６の縁部には、環状リブ２６Ａがケース１２の内方へ向けて突設されており、リール１４の位置決め用とされている。
【００２５】
すなわち、リール１４は、ケース１２における遊動規制壁２８内に収容されている。遊動規制壁２８は、上ケース１６、下ケース１８の天板１６Ｂ、底板１８Ｂからそれぞれ立設されている。下ケース１８の遊動規制壁２８は、図１に示される如く厚み方向の中央部に段差２９が形成されており、内周側の壁部が外周側の壁部よりも上方に突出している。図示は省略するが、上ケース１６の遊動規制壁２８は、外周側の壁部が内周側の壁部よりも下方に突出している。これにより、ケース１２では、上ケース１６と下ケース１８との接合状態で、上下のケース１６、１８の遊動規制壁２８が互いに嵌り合うインロウ構造を成している。
【００２６】
この上下一対の遊動規制壁２８のうち下ケース１８の遊動規制壁２８における開口２０近傍の端部には、内部に位置規制用孔が形成された袋部２８Ａが連設されている。また、ケース１２の左前角部と遊動規制壁２８との間に挟まれた空間には、長孔である位置規制用孔が形成された袋部２８Ｂが立設されている。袋部２８Ａ、２８Ｂは、矢印Ｂ方向に沿った一直線上に配置されている。そして、袋部２８Ａが連設された端部を除いて、各遊動規制壁２８は、それぞれ端部がケース１２の周壁１６Ａまたは周壁１８Ａと連設されることで、その外側とリール１４の設置空間とを仕切っている。
【００２７】
また、下ケース１８の右後部には、各記録テープカートリッジ１０毎に、その各種情報を記憶されたメモリボードＭが設置されるようになっており、下面側から読み取るドライブ装置と、背面側から読み取るライブラリ装置での検知が可能となるように、周壁１８Ａを構成する傾斜後壁１８Ｃの一部が所定角度だけ傾斜され、メモリボードＭが所定角度傾斜して配置されるようになっている。メモリボードＭには、例えば、記録テープカートリッジ１０の個体識別情報、製造情報、磁気テープＴの記録容量や記録形式等が記録されている。
【００２８】
（開口及び開口近傍のケースの構成）
上ケース１６の底面図である図５及び下ケース１８の平面図である図６にも示される如く、開口２０の前後の縁部には、それぞれ上下一対のビスボス３２、３６が設けられている。ビスボス３２、３６は、図示しない他のビスボスと共に上ケース１６と下ケース１８とを接合するためのビス止め用とされている。
【００２９】
開口２０の前縁部に位置するビスボス３２は、ケース１２の前壁１２Ａ（周壁１６Ａ、１８Ａのうち、外面が矢印Ａ方向を向く部分）の右端部、及び該前壁１２Ａの右端部から開口２０の開放面に沿って短く屈曲された上下一対の防塵壁３０とそれぞれ連設されている。ビスボス３２と防塵壁３０との間には後述するドア５０の先端部が入り込む凹部３０Ａが形成されている。
【００３０】
一方、開口２０の後縁部に位置するビスボス３６は、ケース１２の右壁１２Ｂ（周壁１６Ａ、１８Ａのうち、矢印Ａ方向に沿った右側の壁）の前端部が開口２０の開放面に略沿って屈曲された屈曲壁３８、及び該右壁１２Ｂの内側に設けられた上下一対の円弧壁３４の前端部とそれぞれ連設されている。上下の円弧壁３４は、それぞれ平面視で後述するドア５０の外周面（の移動軌跡）に略対応した円弧状に形成されており、それぞれビスボス３６から所定長さだけ後方へ伸び、該後部において短い連結壁３４Ａを介して右壁１２Ｂ（周壁１６Ａまたは周壁１８Ａ）に連設されている。
【００３１】
また、ケース１２の右壁１２Ｂには、ケース１２の内外を連通する窓部としての所定長さのスリット４０が設けられており、後述するドア５０の操作突起５２の露出用とされている。スリット４０は、右壁１２Ｂを構成する周壁１６Ａの下部を切り欠いて形成され、上ケース１６の屈曲壁３８の下部をも切り欠くことで前方へも開口されている。
【００３２】
このケース１２を構成する上ケース１６及び下ケース１８には、それぞれドア５０をガイドするためのガイド溝４２が設けられている。各ガイド溝４２は、その溝壁が、それぞれ上ケース１６の天板１６Ｂ、下ケース１８の底板１８Ｂから立設されたリブ４４、右壁１２Ｂ（周壁１６Ａまたは周壁１８Ａ）、遊動規制壁２８によって構成されることで、それぞれ天板１６Ｂまたは底板１８Ｂを薄肉化することなく形成されている。リブ４４はピン台２４に連設されている。
【００３３】
各ガイド溝４２は、凹部３０Ａを基端としケース１２の右後角部まで至る所定の円周に沿った円弧状に形成されており、この所定の円周はビスボス３２の外側、ビスボス３６の内側、右壁１２Ｂと遊動規制壁２８との間を通る（縫う）ように決められている。そして、この所定の円周の中心位置（後述するドア５０の回転中心）は、本実施の形態では、その左右方向の位置（座標）がケース１２の左端よりも外側に、その前後方向の位置（座標）がリール１４の回転中心（遊動規制壁２８の軸心）と略一致するように設定されている。
【００３４】
また、ガイド溝４２の開口２０に位置する部分は、リブ４４がピン台２４の右方において切り欠かれることで凹部２４Ａと連通されると共に、板ばね２５のアーム部２５Ａが配置されるばね溝４５とも連通している。また、ガイド溝４２の切欠き部分では、リーダピン２２をケース１２内に誘い込むテーパ開口２０Ａがピン台２４の凹部２４Ａに連通している。さらに、リブ４４には、テーパ開口２０Ａの後縁、ビスボス３６の前縁、開口２０の開放面にそれぞれ沿って形成されたリブ４６が連設されており、ケース１２の開口２０廻りの強度が確保または向上されている。
【００３５】
さらに、各ガイド溝４２の後半部分を構成するリブ４４は、その後端において略Ｕ字状に折り返されて閉じている。そして、上ケース１６のリブ４４は、下ケース１８のリブ４４よりも後方に長く形成されている。これは、下ケース１８の傾斜後壁１８Ｃ（周壁１８Ａ）が所定角度の傾斜面になっており、その右壁１２Ｂ側に配設したメモリボードＭをドア５０と干渉させないためである。
【００３６】
さらに、後半部分のリブ４４の内側部分における長手中央部には、上下一対のばね掛けピン５５が設けられている。各ばね掛けピン５５は、それぞれ遊動規制壁２８に連設されており、下ケース１８側が長く形成され、その遊動規制壁２８よりも上方に突出した部分に後述するコイルばね５６の一端側環状部５６Ａが引掛けられる構成である。そして、この下ケース１８側のばね掛けピン５５に上ケース１６側の短いばね掛けピン５５が突き当てられることで、コイルばね５６の脱落が阻止されるようになっている。
【００３７】
以上説明した上ケース１６と下ケース１８とは、互いの周壁１６Ａ、１８Ａを突き当てた状態で、各ビスボス３２、３６及び他のビスボスに下側から図示しないビスがねじ込まれて固定（接合）されケース１２を構成している。そして、開口２０は、右前角部が切り欠かれて形成されることで、その開放面が矢印Ａ方向及び矢印Ｂ方向に向くため、ドライブ装置の引出手段が、矢印Ａ方向、矢印Ｂ方向、或いは矢印Ａ方向と矢印Ｂ方向との間からアクセスしてリーダピン２２をチャックできる。これにより、リーダピン２２を保持するピン台２４を設置可能なエリアが広がり、ドライブ装置の引出手段がリーダピン２２をチャック可能な領域が広いため、矢印Ａ方向または矢印Ｂ方向からチャックするドライブ装置の仕様に合わせてピン台２４の設置位置を設定できる。このため、ドライブ装置の設計の自由度も広がる。
【００３８】
（ドアの構成）
以上説明した開口２０は、遮蔽部材としてのドア５０によって開閉されるようになっている。ドア５０は、板厚方向に湾曲され、その平面視における曲率がガイド溝４２（所定の円周）の曲率と一致する円弧状に形成されている。また、ドア５０は、その前部（少なくとも開口２０を閉塞する部分）における板幅（高さ）が開口２０の開口高さと略同一に形成された部分が閉塞部５０Ａとされると共に、閉塞部５０Ａよりも後側の板幅が若干小さくされた部分が駆動部５０Ｂとされている。
【００３９】
このドア５０の板長（湾曲した長手寸法）は、開口２０の閉塞状態において駆動部５０Ｂの後端部がケース１２の右後角部内に位置するように決められている（図７（Ａ）参照）。なお、駆動部５０Ｂの後下部は、下ケース１８の傾斜後壁１８Ｃの傾斜面に配設されたメモリボードＭを回避するために、斜めに切り欠かれている。
【００４０】
このドア５０は、その閉塞部５０Ａの先端部がビスボス３２の外側に位置する凹部３０Ａに入り込んだ状態で開口２０を閉塞し（図７（Ａ）参照）、ガイド溝４２に沿って略後方へ移動（回動）して開口２０を開放し（図７（Ｂ）参照）、閉塞部５０Ａの先端近傍の外周面がビスボス３６の内側近傍に達すると開口２０を完全に開放する（図７（Ｃ）参照）構成である。また、ドア５０は、開口２０を開放する際と略反対方向に回動して開口２０を閉塞するようになっている。
【００４１】
このように、ドア５０は、その移動軌跡である所定の円周をはみ出すことなく回動して開口２０を開閉するように湾曲形成されている。ドア５０の回転中心及び半径（ガイド溝４２の形状）は、ドライブ装置からの要求により決まる開口２０前後の縁部（ビスボス３２、３６）の位置やライブラリ装置からの要求により決まる開口２０の開放面の角度等に応じて適宜決められれば良い。
【００４２】
また、ドア５０の上下端には、それぞれ上下のガイド溝４２に入り込むそれぞれ複数の凸部５１が突設されている。各凸部５１は、閉塞部５０Ａと駆動部５０Ｂとで突出高が異なるが、ドア５０の幅方向（長手方向に沿った）中心線からそれぞれの頂部までの距離は一定とされている。これにより、上下の凸部５１は、ガイド溝４２の底部である天板１６Ｂまたは底板１８Ｂと摺動するようになっている。
【００４３】
また、各凸部５１におけるドア５０の板厚方向両側には、その頂部がドア５０板厚方向端面に沿う突起５１Ａが突設されており、ガイド溝４２の溝壁（リブ４４等）と摺動するようになっている。なお、最前に位置する凸部５１は、開口２０の開閉過程でガイド溝４２と連通するテーパ開口２０Ａには入り込まないように配置されている。
【００４４】
これらの凸部５１及び突起５１Ａによって、ドア５０は、開口２０を開閉する際に各ガイド溝４２にガイドされて上記移動軌跡からはみ出すことなく、ビスボス３２の外側及びビスボス３６の内側、右壁１２Ｂと遊動規制壁２８との間を縫うようにして確実に開動する構成である。
【００４５】
このドア５０の駆動部５０Ｂの前端（閉塞部５０Ａ側）近傍における外周部には、操作部としての操作突起５２がドア５０の径方向に沿って突設されている。操作突起５２は、スリット４０からケース１２の外側に露出されており、記録テープカートリッジ１０のドライブ装置への装填（相対移動）に伴って該スリット４０の前方に開口した部分から進入する係合突起１００と係合することでドア５０を開口２０の開放方向に移動させる構成である。
【００４６】
また、ドア５０の駆動部５０Ｂの後端部には、該ドア５０の内面側に向けて略Ｌ字状のばね掛け部５４が突設されており、ばね掛け部５４は上側が自由端とされている。このばね掛け部５４には、付勢手段としてのコイルばね５６が係止保持用されている。具体的には、コイルばね５６の端部にはそれぞれ係止用の環状部５６Ａ、５６Ｂが設けられており、環状部５６Ａはケース１２のばね掛けピン５５を挿通させてケース１２に係止保持され、環状部５６Ｂはばね掛け部５４を挿通させてドア５０に係止保持される。
【００４７】
これにより、ドア５０は、コイルばね５６の付勢力によって開口２０の閉塞方向に付勢され、通常開口２０を閉塞する構成である。このコイルばね５６は、上記の通りドア５０が開口２０の閉塞状態でケース１２の右後角部に至る長さであるため、該右後角部における遊動規制壁２８と周壁１６Ａ、１８Ａ（傾斜後壁１８Ｃ）との間の空間を有効利用して配設されている。
【００４８】
また、ドア５０の閉塞部５０Ａ内面には、開口２０閉塞時にリーダピン２２の上端部側面及び下端部側面に当接するストッパ５８が突設されており、落下衝撃等によるリーダピン２２のピン台２４からの脱落を、確実に防止できるようになっている。
【００４９】
以上説明したドア５０は、記録テープカートリッジ１０がドライブ装置へ装填される動作によって操作突起５２がドライブ装置の係合突起１００（図７（Ａ）乃至（Ｃ）参照）に係合することでコイルばね５６の付勢力に抗してケース１２に対し移動し開口２０を開放し、ドライブ装置から排出される際にはコイルばね５６の付勢力によって開口２０を閉塞する構成である。
【００５０】
そして、円弧状に湾曲形成されたドア５０は、その湾曲形状に沿った移動軌跡からはみ出すことなくリール１４及びピン台２４（リーダピン２２）の外側を回り込むように回動して、矢印Ａ方向に対し傾斜した開口２０を開閉するようになっており、開口２０の開閉に際してケース１２の外形領域からはみ出さない構成である。
【００５１】
（ＩＣタグの構成）
そして、記録テープカートリッジ１０には、ＲＦＩＤ（Ｒａｄｉｏ Ｆｒｅｑｕｅｎｃｙ ＩＤｅｎｔｉｆｉｃａｔｉｏｎの略で、ＲＦタグともいう）通信用のＲＦＩＤタグとしてのＩＣタグ６０が内蔵されている。ＩＣタグ６０は、ケース１２の外部からリーダ／ライタによって非接触で情報の読み書きが行われるようになっており、この実施形態ではＩＣタグとして構成されている。
【００５２】
このＩＣタグ６０は、例えば、従来バーコードラベルで表されていた情報、保管時及びオートローダによる搬送使用時のカートリッジ個体一元管理（磁気テープＴへの記録内容との関係を考慮した管理）のための情報が読み書きされる点で、上記したメモリボードＭとは用途が異なる。このＲＦＩＤの構成について、以下に具体的に説明する。
【００５３】
図１に示される如く、ＩＣタグ６０は、回路部としてのＩＣタグ本体６２と、該ＩＣタグ本体６２に導通されたアンテナ６４とを主要部として構成されている。図２に示される如く、ＩＣタグ本体６２は、シート状に形成された基部としてのベースシート６６と、該ベースシート６６に設けられた回路としてのＩＣチップ６８と、ベースシート６６の表面に沿ってＩＣチップ６８から延設された一対の端子７０とを有する。一対の端子７０は、ベースシート６６の下端まで至っている。
【００５４】
ＩＣタグ本体６２は、図２に示される如く、下ケース１８の遊動規制壁２８に内向きに開口して形成された位置決め部としての凹部７２内に収容されることで、遊動規制壁２８の内側に配置されたリール１４（磁気テープＴ）との干渉が生じない構成とされている。凹部７２は、遊動規制壁２８の段差２９に対する内周側の壁部を切り欠いて形成されている。また、この実施形態では、ＩＣタグ本体６２は、凹部７２の底面（遊動規制壁２８の径方向内向きの面）に接着によって固定されている。
【００５５】
図１に示される如く、アンテナ６４は、遊動規制壁２８に沿って設けられている。具体的には、下ケース１８の底板１８Ｂにおける遊動規制壁２８の内面に沿って細溝７４が形成されており、該細溝７４内に金属箔より成るアンテナ６４が形成されている。この実施形態では、下ケース１８の底板１８Ｂには、環状リブ２６Ａから複数のリブ７５が放射状に立設されており、細溝７４は、平面視で図６に示される如く複数のリブ７５の先端と遊動規制壁２８の内面との間に形成されている。
【００５６】
図６に示される如く、アンテナ６４は、細溝７４における凹部７２に連通された部分を基端６４Ａとして略対称に一対形成されており、それぞれの終端６４Ｂが凹部７２から略１８０°の位置に位置している。すなわち、一対のアンテナ６４は、遊動規制壁２８または該遊動規制壁２８の仮想延長線に沿って、略半円弧状に形成されており、ダイポールアンテナを構成している。この実施形態では、アンテナ６４の一対の基端６４Ａ間、終端６４Ｂ間には、細溝７４が形成されない構成とされている。
【００５７】
以上説明したアンテナ６４は、成形後の下ケース１８における細溝７４内に金属箔を蒸着する蒸着法によって形成されている。これにより、安価かつ容易にアンテナ６４を形成することができる。特に、細溝７４の溝壁にのみアンテナ６４を形成することが可能になる。また、細溝７４内に形成されたアンテナ６４は、リール１４等との干渉が防止され、該干渉に対し保護されるようになっている。なお、アンテナ６４は、蒸着方に代えて、細溝７４に金属材を流し込んで固化させることで、形成されても良く、樹脂製の下ケース１８の射出成形時に転写成形によって金属箔として形成されても良く、下ケース１８の成形後にエッチングによって金属箔として形成しても良い。これらによっても、比較的容易にアンテナ６４を形成することが可能になる。
【００５８】
そして、アンテナ６４が形成された細溝７４は、ＩＣタグ本体６２が収容される凹部７２と連通されており、ＩＣタグ本体６２を凹部７２内に収容して遊動規制壁２８（下ケース１８）に対し位置決めすることで、一対の端子７０が対応するアンテナ６４に接触するようになっている。これにより、一対のアンテナ６４とＩＣチップ６８とが電気的に導通され、ケース１２の外部との通信が可能なＩＣタグ６０が構成される。各端子７０とアンテナ６４との接触部位は、接着剤等によって接触状態が維持されるように構成しても良い。この実施形態では、遊動規制壁２８の内径が略１００［ｍｍ］であり、片側略１５０［ｍｍ］のアンテナ６４が形成されている。
【００５９】
以上により、記録テープカートリッジ１０では、ＩＣタグ６０が下ケース１８（遊動規制壁２８）に一体化されている。特に、アンテナ６４は、下ケース１８に一体に形成されているものと捉えることができる。上記の如くダイポールアンテナであるアンテナ６４を備えるＩＣタグ６０は、電波通信方式を採る構成とされている。
【００６０】
次に、本実施の形態の作用について説明する。
【００６１】
上記構成の記録テープカートリッジ１０では、不使用時（保管時や運搬時等）には、コイルばね５６の付勢力によって先端部を凹部３０Ａに入り込ませたドア５０が開口２０を閉塞している。また、リール１４は、図示しないリールギヤをギヤ開口２６から露出させた状態で、圧縮コイルスプリングによって下ケース１８側に押し付けられつつケース１２の環状リブ２６Ａを嵌入（当接）させて位置決めされている。さらに、この状態でリール１４は、ロック手段によって回転不能にロックされている。
【００６２】
一方、磁気テープＴを使用する際には、記録テープカートリッジ１０を矢印Ａ方向に沿ってドライブ装置のバケット（図示省略）へ装填する。この装填に伴って、図７（Ａ）に示される如く、ドライブ装置の係合突起１００がドア５０の操作突起５２に係合することでドア５０が略後方へ回動して開口２０が開放される。
【００６３】
そして、記録テープカートリッジ１０がバケットに所定深さまで装填されると、該バケットは下降し、ドライブ装置の回転シャフト（図示省略）がケース１２のギヤ開口２６に向って相対的に接近する。すると、上記近接方向の移動によって回転シャフトは、その駆動ギヤをリール１４のリールギヤと噛み合わせつつ該リール１４を圧縮コイルスプリングの付勢力に抗してケース１２に対し浮上させる。
【００６４】
またこの動作によって、記録テープカートリッジ１０がドライブ装置内で位置決めされると共に、ロック手段によるリール１４のロック状態が解除され、リール１４は、ケース１２内で該ケース１２内面と非接触状態で回転可能となる。
【００６５】
この状態から、ドライブ装置の引出手段が開放された開口２０からリーダピン２２を引き出し該ドライブ装置の巻取リールに収容する。そして、ドライブ装置が巻取リールとリール１４とを同期して回転駆動すると、磁気テープＴは、巻取リールに巻き取られつつケース１２から順次引き出され、所定のテープ経路に沿って配設された記録再生ヘッド等によって情報の記録や再生が行われる。
【００６６】
また、磁気テープＴがリール１４に巻き戻されてバケットが上昇すると、回転シャフトがリール１４から離間し、該リール１４は圧縮コイルスプリングの付勢力によって初期状態に復帰する。すなわち、リール１４は、ケース１２に対し下降し環状リブ２６Ａにて位置決めされると共に、ロック手段によって回転不能にロックされる。
【００６７】
さらに、記録テープカートリッジ１０をバケットから排出する際には、記録テープカートリッジ１０は、コイルばね５６の付勢力または図示しないイジェクト機構によって矢印Ａ方向とは反対方向に移動する。この移動に伴って、ドア５０は、コイルばね５６の付勢力によって開口２０を閉塞する。以上により、記録テープカートリッジ１０は、ドライブ装置から排出されて初期状態に復帰する。
【００６８】
この記録テープカートリッジ１０において、ケース１２の外部に近接させた図示しないリーダ／ライタによって、ＩＣタグ６０（ＩＣチップ６８）への情報の読み書きが行われる。
【００６９】
ここで、記録テープカートリッジ１０では、ＩＣタグ６０を構成するアンテナ６４が下ケース１８における遊動規制壁２８に沿って形成されているため、換言すれば、リール１４の設置範囲の外縁に沿ってアンテナ６４が形成されているため、直線状に配置するよりも長いアンテナ６４を形成することができる。すなわち、金属箔より成るアンテナ６４は、ケース１２内におけるリール１４やドア５０等の可動範囲と干渉しない最大の連続領域に沿って、長尺状に形成することができる。
【００７０】
しかも、記録テープカートリッジ１０では、アンテナ６４が細溝７４内に形成されているので、落下衝撃を受けた場合等においてもアンテナ６４がリール１４に接触することがなく、断線等に対し効果的に保護される。
【００７１】
このように、本実施形態に係る記録テープカートリッジ１０では、ＩＣタグ６０を構成するアンテナ６４の長さを確保することができる。すなわち、電波通信方式を採るＩＣタグ６０において、ＵＨＦ帯域の周波数を利用することが可能になる。これにより、記録テープカートリッジ１０では、ケース１２内に設けられたＩＣタグ６０に対するケース１２外からの通信可能距離を長く設定することができる。
【００７２】
また、記録テープカートリッジ１０では、ＩＣタグ６０を構成するＩＣタグ本体６２が遊動規制壁２８に設けられているので、ＩＣタグ６０をケース内でコンパクトに構成することができる。特に、遊動規制壁２８の凹部７２内にＩＣタグ本体６２を収容するので、ケース１２における遊動規制壁２８の内側にＩＣタグ６０を配置した構成において、ＩＣタグ本体６２とリール１４との干渉が防止される。
【００７３】
しかも、記録テープカートリッジ１０では、凹部７２内に収容されることで下ケース１８に対し位置決めされたＩＣタグ本体６２は、各端子７０が対応するアンテナ６４に接触されるので、アンテナ６４が形成された下ケース１８に対するＩＣタグ本体６２の取り付けによって、容易にＩＣタグ６０を構成することができる。
【００７４】
（ＩＣタグの変形例）
次に、記録テープカートリッジ１０を構成するＩＣタグの変形例について説明する。なお、上記実施形態と基本的に同一の部品、部分については、上記第１の実施形態と同一の符号を付して説明を省略する。
【００７５】
図８には、第１変形例に係るＩＣタグ８０の要部が分解斜視図にて示されている。この図に示される如く、ＩＣタグ８０は、ＩＣタグ本体６２に代えてＩＣタグ本体８２を備えており、ＩＣタグ本体８２は、ベースシート６６に代えて、係合部としての係合片８４を有するベースシート８５を備える点で、ＩＣタグ６０とは異なる。
【００７６】
ベースシート８５は、シート状ベース部材の上端部が屈曲されることで係合片８４が一体に形成されている。係合片８４には、係合孔８４Ａが形成されている。この係合孔８４Ａには、遊動規制壁２８に突設された係合突起８６が入り込むようになっている。ＩＣタグ８０は、ＩＣタグ本体８２のベースシート８５が凹部７２に収容されて下ケース１８に対し位置決めされた状態で、一対の端子７０が対応するアンテナ６４に接触されると共に、係合片８４の係合孔８４Ａに係合突起８６が入り込む構成とされている。
【００７７】
図示は省略するが、上ケース１６の遊動規制壁２８には係合突起８６を入り込ませる凹部が形成されており、該上ケース１６の遊動規制壁２８と下ケース１８の遊動規制壁２８とがインロウ構造により嵌り合うように突き合わされることで、係合片８４が上下の遊動規制壁２８に挟み込まれるようになっている。これにより、ＩＣタグ８０では、ＩＣタグ本体８２が接着剤に頼ることなく遊動規制壁２８に対し脱落しない状態で、ケース１２（遊動規制壁２８）に固定されている。
【００７８】
ＩＣタグ８０の他の構成は、ＩＣタグ６０の対応する構成と同じである。したがって、第１変形例に係るＩＣタグ８０を備えた記録テープカートリッジ１０によっても、ＩＣタグ６０を備えた記録テープカートリッジ１０と同様の作用により同様の効果を得ることができる。
【００７９】
図９（Ａ）には、第２変形例に係るＩＣタグ９０の要部が断面図にて示されており、図９（Ｂ）には、ＩＣタグ９０が側面図にて示されている。これらの図に示される如く、ＩＣタグ９０は、細溝７４内に形成されたアンテナ６４に代えて、遊動規制壁２８の自由端面に形成されたアンテナ９２を備える点で、ＩＣタグ６０とは異なる。この実施形態では、一対のアンテナ９２は、遊動規制壁２８における段差２９に対する径方向外側の端面９４上に、それぞれ略半円弧状に形成されている。
【００８０】
また、ＩＣタグ９０を構成するＩＣタグ本体９５は、遊動規制壁２８の外周側に形成された凹部９６内に収容されるようになっており、一対のアンテナ９２は、それぞれ凹部９６の底面上で拡大された端子接触部９２Ａを有する。ＩＣタグ本体９５は、ＩＣチップ６８に導通されると共にベースシート６６の背面側に回り込んだ一対の端子９８を有し、凹部９６に収容されることで各端子９８が対応するアンテナ９２の端子接触部９２Ａに接触する構成とされている。
【００８１】
ＩＣタグ本体９５の遊動規制壁２８への固定構造は、上記実施形態と同様の接着、第１変形例と同様の係合構造を採ることができる。ＩＣタグ９０の他の構成は、ＩＣタグ６０の対応する構成と同じである。したがって、第２変形例に係るＩＣタグ９０を備えた記録テープカートリッジ１０によっても、ＩＣタグ６０を備えた記録テープカートリッジ１０と同様の作用により同様の効果を得ることができる。
【００８２】
また、ＩＣタグ９０は、遊動規制壁２８に対する外周側に構成されているので、リール１４との干渉が確実に防止され、またケース１２外部との通信性能が向上する。
【００８３】
なお、上記した実施形態及び変形例では、ＩＣタグ本体６２、８２、９５が遊動規制壁２８に固定された例を示した。参考例としては、例えば、ＩＣタグ本体６２、８２、９５を下ケース１８の底板１８Ｂに固定する構成としても良い。
【００８４】
また、上記した実施形態及び変形例では、下ケース１８側にＩＣタグ６０、８０、９０が構成された例を示したが、本発明はこれに限定されず、例えば、上ケース１６側にＩＣタグ６０、８０、９０を構成しても良く、上ケース１６、下ケース１８とは別体とされた遊動規制壁２８にＩＣタグ６０、８０、９０を構成しても良い。
【００８５】
さらに、上記した実施形態及び変形例では、アンテナ６４、９２が単なる円弧状を成す例を示したが、本発明はこれに限定されず、遊動規制壁２８の壁面又は下ケース１８の底板１８Ｂを有効利用して中間又は先端部が渦巻状や千鳥状を成す形状等、各種形状のアンテナを採用することができる。
【００８６】
またさらに、上記した実施形態及び変形例では、遊動規制壁２８（下ケース１８）に直接的にアンテナ６４、９２が形成された例を示したが、本発明はこれに限定されず、例えば、アンテナ６４等が形成されたフレキシブルなプリント基板を遊動規制壁２８に貼り付けるようにしても良い。
【００８７】
また、上記した実施形態及び変形例では、位置決め部として凹部７２、９６が形成された例を示したが、本発明はこれに限定されず、例えば、ＩＣタグ本体６２、８２、９５に対する遊動規制壁２８の周方向の少なくとも一方側に設けられた凸部にて位置決め部を構成しても良く、底板１８Ｂに形成されＩＣタグ本体６２、８２、９５の下端が入り込む溝にて位置決め部を構成しても良い。
【００８８】
さらに、上記した実施形態及び変形例では、一対のアンテナ６４が略半円弧状を成す例を示したが、本発明はこれに限定されず、例えば、受信する電波の周波数に応じて（波長の半分程度に）アンテナ６４の長さを設定すれば良い。例えばＵＨＦ帯域に含まれる９００[ＭＨｚ]帯の周波数で通信を行う構成では、一対のアンテナ６４（アンテナ９２）の長さを合わせて１５０[ｍｍ]とすれば良い。すなわち、上記実施形態に適用した場合、各アンテナ６４は、遊動規制壁２８（リール１４）の略１／４周（略９０°）となり、合わせて略半周の領域に設置することができる。また、アンテナ６４の長さは、その近傍に位置する部材の誘電率（ケース１２、リール１４や磁気テープＴ等の空気（誘電率略１．０に対し誘電率が高いもの）の影響を考慮して適宜調整しても良い。
【００８９】
またさらに、一対のアンテナ６４、９２は、基端６４Ａ、９２Ａ同士が互いに繋がる（端部がない）ように構成されても良い。この場合には、一対の端子７０とアンテナ６４の連結された基端６４Ａとでループアンテナが形成される。この構成では、上記した電波通信の機能と、磁界誘導方式の通信の機能とを併せ持つことが可能になる。
【００９０】
また、上記した実施形態及び変形例では、ＩＣタグ６０、８０、９０が電波通信方式を採る例を示したが、本発明はこれに限定されず、例えば、ＩＣタグ６０、８０、９０が磁界誘導方式を採る構成としても良い。この場合、終端６４Ｂを有しないループ状のアンテナ６４、９２を形成すれば良い。磁界誘導方式では、アンテナ長が長いほど通信感度が良好であるため、本発明の適用によって、受信感度の向上が図られ、通信距離の確保に寄与する。
【００９１】
さらに、上記した実施形態及び変形例では、ＩＣタグ６０、８０、９０がリーダ／ライタによって非接触で情報の読み書きが行われる構成である例を示したが、本発明はこれに限定されず、例えば、ＩＣタグ６０、８０、９０は、情報の読み書きの何れか一方のみが行われる構成であっても良く、外部からの電波等の受信に対し特定の信号（周波数）を返す機能のみを有する構成であっても良い。後者の構成では、例えば記録テープカートリッジ１０毎にＩＣタグ６０等が返す信号（周波数）が異なれば、これらの個体を識別することができる。
【００９２】
またさらに、上記した実施形態及び変形例では、記録テープとして磁気テープＴを用いた構成としたが、本発明はこれに限定されず、記録テープは情報の記録及び記録した情報の再生が可能な長尺テープ状の情報記録再生媒体として把握されるものであれば足り、本発明に係る記録テープカートリッジが如何なる記録再生方式の記録テープにも適用可能であることは言うまでもない。
【図面の簡単な説明】
【００９３】
【図１】本発明の実施の形態に係る記録テープカートリッジを構成するＩＣタグを示す斜視図である。
【図２】本発明の実施の形態に係る記録テープカートリッジを構成するＩＣタグの要部を拡大して示す拡大斜視図である。
【図３】本発明の実施の形態に係る記録テープカートリッジの全体構成を示す斜視図である。
【図４】本発明の実施の形態に係る記録テープカートリッジの分解斜視図である。
【図５】本発明の実施の形態に係る記録テープカートリッジを構成する上ケースの底面図である。
【図６】本発明の実施の形態に係る記録テープカートリッジを構成する下ケースの平面図である。
【図７】本発明の実施の形態に係る記録テープカートリッジの開口の開放過程を示す上ケースを取り除いて見た図であって、（Ａ）はドアの操作突起へのドライブ装置の係合突起の係合初期状態を示す平面図、（Ｂ）は開口の開放途中を示す平面図、（Ｃ）は開口の開放完了状態を示す平面図である。
【図８】本発明の実施の形態に係る記録テープカートリッジを構成するＩＣタグの変形例の要部を示す分解斜視図である。
【図９】本発明の実施の形態に係る記録テープカートリッジを構成するＩＣタグの変形例の要部を示す図であって、（Ａ）は断面図、（Ｂ）は側面図である。
【符号の説明】
【００９４】
１０      記録テープカートリッジ
１２      ケース
１４      リール
１６Ａ    周壁（外壁）
１８Ａ    周壁（外壁）
２８      遊動規制壁（内壁）
６０      ＩＣタグ（ＲＦＩＤタグ）
６２      ＩＣタグ本体（回路部）
６４      アンテナ
６６      ベースシート（基部）
６８      ＩＣチップ（回路）
７０      端子
７２      凹部（位置決め部）
８０・９０       ＩＣタグ（ＲＦＩＤタグ）
８２・９５       ＩＣタグ本体（回路部）
８５      ベースシート（基部）
９２      アンテナ
９６      凹部（位置決め部）
９８      端子
Ｔ 磁気テープ
【図１】
0004864929.tif 000002
【図２】
0004864929.tif 000003
【図３】
0004864929.tif 000004
【図４】
0004864929.tif 000005
【図５】
0004864929.tif 000006
【図６】
0004864929.tif 000007
【図７】
0004864929.tif 000008
【図８】
0004864929.tif 000009
【図９】
0004864929.tif 000010